(57)【要約】【課題】複数の情報層を有する各種光記録媒体についてトラッキングエラーの発生を回避し得るデータ記録方法を提供する。【解決手段】２層の情報層が形成された光ディスク１０にレーザービームを照射して光ディスク１０に記録データを記録する際に、レーザービームの入射面側から１番目のＬ２情報層１４におけるデータ記録用トラックに記録データを記録した後に、記録済みのデータ記録用トラックに隣接している未記録のデータ記録用トラック、および記録済みのデータ記録用トラックの近傍に位置している未記録のデータ記録用トラックのいずれかにレーザービームを照射することにより、記録済みのデータ記録用トラックが含まれる記録済み領域Ａ１の光透過率と、未記録のデータ記録用トラックが含まれる未記録領域Ａ０の光透過率との中間の光透過率を有する透過率調整領域Ａ２を形成する。【選択図】図４
2005158174.tif 000002
【特許請求の範囲】
【請求項１】
Ｎ層（Ｎは２以上の自然数）の情報層が形成された光記録媒体にレーザービームを照射して当該光記録媒体に記録データを記録する際に、
前記レーザービームの入射面側からＭ番目（Ｍは（Ｎ−１）以下の自然数）の情報層におけるデータ記録用トラックに前記記録データを記録した後に、当該記録済みのデータ記録用トラックに隣接している未記録のデータ記録用トラック、および当該記録済みのデータ記録用トラックの近傍に位置している未記録のデータ記録用トラックのいずれかに前記レーザービームを照射することにより、前記記録済みのデータ記録用トラックが含まれる記録済み領域の光透過率と、前記未記録のデータ記録用トラックが含まれる未記録領域の光透過率との中間の光透過率を有する透過率調整領域を形成するデータ記録方法。
【請求項２】
前記未記録のデータ記録用トラックのうちの少なくとも一周に前記レーザービームを照射して前記透過率調整領域を形成する請求項１記載のデータ記録方法。
【請求項３】
前記透過率調整領域における前記光記録媒体の半径方向に沿った幅が、前記光記録媒体の中心に対する前記Ｍ番目の情報層の偏心量と前記入射面側から（Ｍ＋１）番目の情報層の当該光記録媒体の中心に対する偏心量との合計量から、当該（Ｍ＋１）番目の情報層に対してトラッキングする際において照射する前記レーザービームによる前記Ｍ番目の情報層に対する照射の幅を減じた長さよりも広くなるように、前記透過率調整領域を形成する請求項１または２記載のデータ記録方法。
【請求項４】
前記Ｍ番目の情報層に対する前記記録データの記録開始に先立ち、前記未記録のデータ記録用トラックに前記レーザービームを照射して前記透過率調整領域を形成し、当該形成した透過率調整領域に隣接している未記録のデータ記録用トラック、および当該透過率調整領域の近傍に位置している未記録のデータ記録用トラックのいずれかから前記記録データの記録を開始する請求項１から３のいずれかに記載のデータ記録方法。
【請求項５】
前記光透過率が多段階または無段階で前記記録済み領域の光透過率から前記未記録領域の光透過率に徐々に変化するように前記記録済み領域の側から前記未記録領域の側に向けて前記透過率調整領域を形成する請求項１から４のいずれかに記載のデータ記録方法。
【請求項６】
前記記録データの記録時に照射する前記レーザービームよりも小さいパワーであって照射部位の光透過率を変化させ得るパワーのレーザービームを連続的に照射して前記透過率調整領域を形成する請求項１から５のいずれかに記載のデータ記録方法。
【請求項７】
照射部位の光透過率を変化させ得るパワーのレーザービームを照射して透過率調整用の記録マークを記録することによって前記透過率調整領域を形成する請求項１から５のいずれかに記載のデータ記録方法。
【請求項８】
Ｎ層（Ｎは２以上の自然数）の情報層が形成された光記録媒体にレーザービームを照射するピックアップと、当該ピックアップによる前記レーザービームの照射を制御して前記光記録媒体に記録データを記録する制御部とを備え、
前記制御部は、前記レーザービームの入射面側からＭ番目（Ｍは（Ｎ−１）以下の自然数）の情報層におけるデータ記録用トラックに向けて前記ピックアップから前記レーザービームを照射させて前記記録データを記録した後に、当該記録済みのデータ記録用トラックに隣接している未記録のデータ記録用トラック、および当該記録済みのデータ記録用トラックの近傍に位置している未記録のデータ記録用トラックのいずれかに前記レーザービームを照射させることにより、前記記録済みのデータ記録用トラックが含まれる記録済み領域の光透過率と、前記未記録のデータ記録用トラックが含まれる未記録領域の光透過率との中間の光透過率を有する透過率調整領域を形成する記録装置。
【発明の詳細な説明】
【技術分野】
【０００１】
本発明は、複数の情報層を有する光記録媒体に対して記録データを記録するデータ記録方法および記録装置に関するものである。
【背景技術】
【０００２】
デジタルデータを記録するための情報記録媒体として、ＣＤやＤＶＤなどの光記録媒体が広く利用されている。このような光記録媒体に要求される記録容量（記録データを記録可能な容量）は年々増大し、この要求を実現するために、各種の提案がなされている。この提案の一つとして、情報記録層（情報層）の２層構造化があり、再生専用の光記録媒体であるＤＶＤ−ＶｉｄｅｏやＤＶＤ−ＲＯＭなどにおいて実用化されている。また、近年では、ユーザーによって記録データが書き込まれるタイプの光記録媒体についても２層構造化が進められている。この種の光記録媒体に対する記録データの記録再生時には、記録パワーまたは再生パワーに調整したレーザービームを情報層に照射する。この際に、レーザービームの照射方向奥側の情報層に対する記録データの記録再生時には、記録再生装置から射出されたレーザービームが照射方向手前側の情報層を透過させられる。この場合、記録データの記録済み領域と記録データの未記録領域とでは、レーザービームに対する透過率が相違する。したがって、照射方向手前側の情報層に記録済み領域と未記録領域とが混在する場合、照射方向奥側の情報層にトラッキングするためのレーザービームに対する透過率が両領域の境目において急激に変化する。この結果、透過率の急激な変化に対して記録再生装置が追従できないことに起因して、トラッキングサーボ制御が困難になることがある。
【０００３】
一方、２層構造を有する光記録媒体に対する記録データのデータ記録方法として、光ディスク１１に対して記録データを記録する方法が特開２０００−２８５４６９号公報に開示されている。この場合、光ディスク１１は、同公報の図１に示すように、第１記録層１２（情報層）および第２記録層１３（情報層）が透明層１４を挟んで積層された片面２層構造を有している。この光ディスク１１に対して記録データを記録する際には、まず、光ディスク１１に対する照射光１５（レーザービーム）の入射面側に位置している第１記録層１２に記録データを記録して、第１記録層１２の全域に記録データを記録した後に、第２記録層１３に対して記録データを記録する。具体的には、同公報の図３に示すように、記録再生装置（光記録再生装置）は、まず、第１記録層１２にアクセスして（ステップＳ１）、第１記録層１２が未記録か否か（すなわち、光ディスク１１がブランクディスクか否か）を判別する（ステップＳ２）。この際に、第１記録層１２が未記録であると判別したときには、第１記録層１２に対する記録データの記録を開始する（ステップＳ３）。また、第１記録層１２の全域に対して記録データの記録が完了したときには（ステップＳ４）、記録再生装置は、第２記録層１３にアクセスすると共に（ステップＳ５）、第２記録層１３に対する記録データの記録を開始する（ステップＳ６）。
【０００４】
一方、ステップＳ２において第１記録層１２が未記録ではない（すなわち、光ディスク１１がブランクディスクではない）と判別したときには、第１記録層１２の全域に対する記録データの記録が完了しているか否かを判別する（ステップＳ７）。この際に、第１記録層１２の全域に対する記録データの記録が完了しているときには、ステップＳ５に進んで第２記録層１３に対する記録データの記録を開始する。また、第１記録層１２の全域に対する記録データの記録が完了していないとき（第１記録層１２に未記録の領域が存在するとき）には、第１記録層１２の未記録領域にアクセスして（ステップＳ８）、未記録領域に対する記録データの記録を開始する（ステップＳ９）。この際には、第１記録層１２の全域に対する記録データの記録が完了するまで第１記録層１２に対して記録データを記録した後に、ステップＳ５に進んで第２記録層１３に対する記録データの記録を開始する。この記録方法に従って光ディスク１１に記録データを記録することにより、第１記録層１２に対する記録データの記録を完了するまでは、第２記録層１３に対してアクセスする必要がなくなる。したがって、第１記録層１２に記録済み領域と未記録領域とが混在する状態における第２記録層１３に対するトラッキング制御が不要となり、前述したトラッキングエラーの発生を回避することが可能となる。
【特許文献１】特開２０００−２８５４６９号公報（第３−４頁）
【発明の開示】
【発明が解決しようとする課題】
【０００５】
ところが、従来のデータ記録方法には、以下の問題点がある。すなわち、従来のデータ記録方法では、光ディスク１１に対する照射光１５の照射方向手前側に位置している第１記録層１２に記録データを記録して、第１記録層１２の全域に記録データを記録した後に照射方向奥側に位置している第２記録層１３に記録データを記録する。これにより、第１記録層１２に記録済み領域および未記録領域が混在する状態において第２記録層１３にアクセスする必要がなくなるため、トラッキングエラーの発生が回避される。この場合、２層構造を有する光記録媒体のなかには、その製造時において照射方向奥側の情報層（記録層）に記録データが記録される（プレピットによって記録データが記録される）と共に、照射方向手前側の情報層にユーザーによる記録データの書き込みが可能に構成されたものが存在する。したがって、この種の光記録媒体を使用する際には、照射方向手前側の情報層の全域に記録データを記録する以前に、照射方向奥側の情報層に対してアクセスする（記録データを再生する）必要が生じることがある。しかし、従来のデータ記録方法では、照射方向手前側の情報層の全域に対する記録データの記録を完了するまでの間において、照射方向奥側の情報層にアクセスする際のトラッキングエラーの発生を回避することができないため、この種の光記録媒体を使用するのが困難であるという問題点が存在する。
【０００６】
本発明は、かかる問題点に鑑みてなされたものであり、複数の情報層を有する各種光記録媒体について、トラッキングエラーの発生を回避し得るデータ記録方法および記録装置を提供することを主目的とする。
【課題を解決するための手段】
【０００７】
上記目的を達成すべく本発明に係るデータ記録方法は、Ｎ層（Ｎは２以上の自然数）の情報層が形成された光記録媒体にレーザービームを照射して当該光記録媒体に記録データを記録する際に、前記レーザービームの入射面側からＭ番目（Ｍは（Ｎ−１）以下の自然数）の情報層におけるデータ記録用トラックに前記記録データを記録した後に、当該記録済みのデータ記録用トラックに隣接している未記録のデータ記録用トラック、および当該記録済みのデータ記録用トラックの近傍に位置している未記録のデータ記録用トラックのいずれかに前記レーザービームを照射することにより、前記記録済みのデータ記録用トラックが含まれる記録済み領域の光透過率と、前記未記録のデータ記録用トラックが含まれる未記録領域の光透過率との中間の光透過率を有する透過率調整領域を形成する。
【０００８】
なお、本発明における情報層は、少なくとも記録層を含む機能層であって、例えばスパッタ法によって形成される。この場合、記録層に誘電体層や反射層などを加えて構成した情報層も含まれるものとする。また、本発明における「記録済みのデータ記録用トラックに隣接している未記録のデータ記録用トラック」とは、データ記録用トラックが渦巻き状の場合には、「記録済みのデータ記録用トラックに繋がっているデータ記録用トラック」を意味して、各データ記録用トラックが同心円状の場合には、「記録済みのデータ記録用トラックに隣り合うデータ記録用トラック」を意味する。また、データ記録用トラックが渦巻き状の場合、実際には、「記録済みのデータ記録用トラック」と、「未記録のデータ記録用トラック」とが別個独立して存在している訳ではなく、１本のデータ記録用トラックが光記録媒体の内周から外周にかけて形成されている。したがって、本明細書では、発明についての理解を容易とするために、データ記録用トラックのうち、記録データの記録が完了している部位を「記録済みのデータ記録用トラック」と定義し、記録データが未記録の部位を「未記録のデータ記録用トラック」と定義する。
【０００９】
この場合、前記未記録のデータ記録用トラックのうちの少なくとも一周に前記レーザービームを照射して前記透過率調整領域を形成するのが好ましい。
【００１０】
また、前記透過率調整領域における前記光記録媒体の半径方向に沿った幅が、前記光記録媒体の中心に対する前記Ｍ番目の情報層の偏心量と前記入射面側から（Ｍ＋１）番目の情報層の当該光記録媒体の中心に対する偏心量との合計量から、当該（Ｍ＋１）番目の情報層に対してトラッキングする際において照射する前記レーザービームによる前記Ｍ番目の情報層に対する照射の幅を減じた長さよりも広くなるように、前記透過率調整領域を形成するのが好ましい。なお、各情報層の偏心量については、光記録媒体の中心に対する偏心の方向を問わず、光記録媒体の中心と各情報層の中心との間の距離（絶対値）を意味する。
【００１１】
さらに、前記Ｍ番目の情報層に対する前記記録データの記録開始に先立ち、前記未記録のデータ記録用トラックに前記レーザービームを照射して前記透過率調整領域を形成し、当該形成した透過率調整領域に隣接している未記録のデータ記録用トラック、および当該透過率調整領域の近傍に位置している未記録のデータ記録用トラックのいずれかから前記記録データの記録を開始するのが好ましい。
【００１２】
また、前記光透過率が多段階または無段階で前記記録済み領域の光透過率から前記未記録領域の光透過率に徐々に変化するように前記記録済み領域の側から前記未記録領域の側に向けて前記透過率調整領域を形成するのが好ましい。
【００１３】
さらに、前記記録データの記録時に照射する前記レーザービームよりも小さいパワーであって照射部位の光透過率を変化させ得るパワーのレーザービームを連続的に照射して前記透過率調整領域を形成するのが好ましい。
【００１４】
また、照射部位の光透過率を変化させ得るパワーのレーザービームを照射して透過率調整用の記録マークを記録することによって前記透過率調整領域を形成するのが好ましい。
【００１５】
また、本発明に係る記録装置は、Ｎ層（Ｎは２以上の自然数）の情報層が形成された光記録媒体にレーザービームを照射するピックアップと、当該ピックアップによる前記レーザービームの照射を制御して前記光記録媒体に記録データを記録する制御部とを備え、
前記制御部は、前記レーザービームの入射面側からＭ番目（Ｍは（Ｎ−１）以下の自然数）の情報層におけるデータ記録用トラックに向けて前記ピックアップから前記レーザービームを照射させて前記記録データを記録した後に、当該記録済みのデータ記録用トラックに隣接している未記録のデータ記録用トラック、および当該記録済みのデータ記録用トラックの近傍に位置している未記録のデータ記録用トラックのいずれかに前記レーザービームを照射させることにより、前記記録済みのデータ記録用トラックが含まれる記録済み領域の光透過率と、前記未記録のデータ記録用トラックが含まれる未記録領域の光透過率との中間の光透過率を有する透過率調整領域を形成する。
【発明の効果】
【００１６】
本発明に係るデータ記録方法および記録装置によれば、Ｍ番目の情報層におけるデータ記録用トラックに記録データを記録した後に、記録済み領域の光透過率と未記録領域の光透過率との中間の光透過率を有する透過率調整領域を形成することにより、（Ｍ＋１）番目の情報層を照射するレーザービームが記録済み領域内を透過する状態と、記録済み領域の外周を透過する状態との間を移行する際における光透過率の急激な変化を回避することができる。したがって、（Ｍ＋１）番目の情報層に対するトラッキングエラーの発生を回避することができる。この結果、レーザービームの照射方向手前側の情報層（Ｍ番目の情報層）の全域に亘って記録データが記録されていない状態であったとしても照射方向奥側の情報層（（Ｍ＋１）番目の情報層）に対して正確にアクセスすることができるため、例えば照射方向奥側の情報層が再生専用タイプの（照射方向奥側の情報層に記録データが予め記録されているタイプの）２層型光記録媒体に対しても、照射方向奥側の情報層に対するトラッキングを妨げることなく照射方向手前側の情報層に記録データを確実に記録することができる。
【００１７】
また、本発明に係るデータ記録方法によれば、未記録のデータ記録用トラックのうちの少なくとも一周にレーザービームを照射して透過率調整領域を形成することにより、記録済み領域の周囲に形成したデータ記録用トラック一周分の透過率調整領域によって、レーザービームが記録済み領域および未記録領域を跨ぐようにして透過する際の透過率の急激な変化を緩和できるため、透過率調整領域が存在しない光記録媒体と比較して、トラッキングエラーの発生を十分に回避することができる。
【００１８】
さらに、本発明に係るデータ記録方法によれば、透過率調整領域における光記録媒体の半径方向に沿った幅が両情報層についての偏心量の合計量からＭ番目の情報層に照射するレーザービームによる照射の幅を減じた長さよりも広くなるように透過率調整領域を形成することにより、（Ｍ＋１）番目の情報層に対するトラッキングエラーの発生を十分に回避することができる。また、光情報媒体の一回転当たりにおける光透過率の最大値と最小値との差を小さくすることができるため、照射方向奥側の情報層に記録されている記録データの再生時における再生信号のばらつきを小さくすることができる結果、再生エラーの発生を十分に回避することができる。
【００１９】
また、本発明に係るデータ記録方法によれば、Ｍ番目の情報層に対する記録データの記録開始に先立ち、未記録のデータ記録用トラックにレーザービームを照射して透過率調整領域を形成し、形成した透過率調整領域に隣接しているデータ記録用トラックおよび透過率調整領域の近傍に位置しているデータ記録用トラックのいずれかから記録データの記録を開始することにより、Ｍ番目の情報層に対する記録データの記録開始部分の近傍においても、（Ｍ＋１）番目の情報層を照射するレーザービームが記録済み領域内を透過する状態と、記録済み領域の外部を透過する状態との間を移行する際における光透過率の急激な変化を回避することができる。この結果、（Ｍ＋１）番目の情報層に対するトラッキングエラーの発生を回避することができる。
【００２０】
さらに、本発明に係るデータ記録方法によれば、光透過率が多段階または無段階で記録済み領域の光透過率から未記録領域の光透過率に徐々に変化するように透過率調整領域を形成することにより、記録済み領域と透過率調整領域との境目、および透過率調整領域と未記録領域との境目における光透過率を緩やかに変化させることができるため、（Ｍ＋１）番目の情報層に対するトラッキングエラーの発生を一層確実に回避することができる。
【００２１】
また、本発明に係るデータ記録方法によれば、記録データの記録時に照射するレーザービームよりも小さいパワーであって照射部位の光透過率を変化させ得るパワーのレーザービームを連続的に照射して透過率調整領域を形成することにより、サーボ機構に対する煩雑な制御を不要としつつ、（Ｍ＋１）番目の情報層に対するトラッキングエラーの発生を回避することができる。
【００２２】
さらに、本発明に係るデータ記録方法によれば、照射部位の光透過率を変化させ得るパワーのレーザービームを照射して透過率調整用の記録マークを記録して透過率調整領域を形成することにより、データ記録用トラックに記録された記録マークの存在によって、その光透過率が記録済み領域の光透過率と未記録領域の光透過率との中間となる透過率調整領域が形成されるため、トラッキングエラーの発生を十分に回避することができる。また、光情報媒体の一回転当たりにおける光透過率の最大値と最小値との差を小さくすることができるため、照射方向奥側の情報層に記録されている記録データの再生時における再生信号のばらつきを小さくすることができる結果、再生エラーの発生を十分に回避することができる。
【発明を実施するための最良の形態】
【００２３】
以下、添付図面を参照して、本発明に係るデータ記録方法および記録装置の最良の形態について説明する。
【００２４】
最初に、記録再生装置１の構成について、図面を参照して説明する。
【００２５】
図１に示す記録再生装置１は、本発明に係るデータ記録方法に従って光ディスク１０に記録データを記録する記録装置であって、例えば、図示しないパーソナルコンピュータ等に接続されてパーソナルコンピュータから出力された記録データを光ディスク１０に記録すると共に、光ディスク１０に記録されている記録データを読み出してパーソナルコンピュータに出力する。この場合、光ディスク１０は、本発明における光記録媒体に相当し、一例として片面２層構造（本発明におけるＮが２の例）の光記録媒体であって、図２に示すように、Ｌ１情報層１２、スペーサ層１３、Ｌ２情報層１４および光透過層１５が基材１１の上にこの順序で形成されて構成されている。また、光ディスク１０の中心部には、記録再生装置１に装着するための装着用中心孔１０ａが形成されて、例えば、光透過層１５の側を下向きにして記録再生装置１に装着される。なお、この光ディスク１０では、光透過層１５の表面が本発明における「レーザービームの入射面」に相当する。また、装着用中心孔１０ａの中心（すなわち、回転中心）が光ディスク１０の中心となっている。
【００２６】
基材１１は、一例としてポリカーボネートを用いて射出成形によって製造されて、その表面（図２における上面）には、Ｌ１情報層１２用のグルーブおよびランド（一例として、渦巻き状）が形成されている。Ｌ１情報層１２は、本発明における（Ｍ＋１）番目の情報層に相当し、一例として、基材１１を覆うようにして、第２誘電体層、記録膜および第１誘電体層がこの順序で成膜されて構成されている。スペーサ層１３は、Ｌ１情報層１２を覆うようにして光透過性を有する樹脂材料をスピンコートして形成され、その表面（図２における上面）には、Ｌ２情報層１４用のグルーブおよびランド（一例として、渦巻き状）が形成されている。Ｌ２情報層１４は、本発明におけるＭ番目の情報層に相当し、スペーサ層１３を覆うようにして、第２誘電体層、記録膜および第１誘電体層がこの順序で成膜されて構成されている。光透過層１５は、Ｌ２情報層１４などの傷付きを防止すると共に、レーザービームＬａ等の光路を形成するための層であって、Ｌ２情報層１４を覆うようにして光透過性を有する樹脂材料をスピンコートして形成されている。
【００２７】
この光ディスク１０は、基材１１に形成されたグルーブ内のＬ１情報層１２と、スペーサ層１３に形成されたグルーブ内のＬ２情報層１４とに記録データの記録が可能に構成されている。この場合、この光ディスク１０では、一例として、Ｌ１情報層１２およびＬ２情報層１４の間の距離Ｌ（すなわち、スペーサ層１３の厚み：図３参照）が２５μｍに規定されると共に、スペーサ層１３の光屈折率（ｎ）が１．５５に規定されている。また、この光ディスク１０では、記録データの記録の前後でＬ２情報層１４の光透過率が変化する。具体的には、記録データが未記録の（記録マークが形成されていない）データ記録用トラックを含む領域（以下、「未記録領域Ａ０」ともいう）の平均的な光透過率が約５４％であるのに対し、記録データの記録が完了した（記録マークが形成された）データ記録用トラックを含む領域（以下、「記録済み領域Ａ１」ともいう）の平均的な光透過率は、約６０％となる。
【００２８】
また、図４に示すように、この光ディスク１０では、基材１１の射出成形時や、スペーサ層１３の形成時におけるスタンパーの位置ずれに起因して、Ｌ１情報層１２の中心Ｏ２（Ｌ１情報層１２における各データ記録用トラックの中心）や、Ｌ２情報層１４の中心Ｏ４（Ｌ２情報層１４における各データ記録用トラックの中心）が、光ディスク１０の中心Ｏから位置ずれする。なお、同図では、本発明についての理解を容易とするために、中心Ｏに対するＬ１情報層１２およびＬ２情報層１４の偏心量等を誇張して大きく偏心させて図示している。この場合、Ｌ１情報層１２の偏心量Ｅ２（中心Ｏ，Ｏ２間の距離）については、光ディスク１０に対して規定された規格によって最大で５０μｍが許容偏心量となっている。また、Ｌ２情報層１４の偏心量Ｅ４（中心Ｏ，Ｏ４間の距離）については、規格によって最大で７５μｍが許容偏心量となっている。したがって、同図に示すように、Ｌ１情報層１２の中心Ｏ２とＬ２情報層１４の中心Ｏ４とが光ディスク１０の中心Ｏを挟んで相反する方向に位置するように偏心した状態では、Ｌ１情報層１２に対するＬ２情報層１４の偏心の合計量Ｅが最大で１２５μｍとなる。このため、記録再生装置１は、後述するように、中心Ｏ２，Ｏ４が最大１２５μｍまで偏心していたとしても記録データの記録再生が正常に実行できるように構成されている。なお、光ディスク１０の回転中心に対するＬ１情報層１２およびＬ２情報層１４のそれぞれの偏心量については、データ記録用トラックに追従させたピックアップの光ディスク１０の一回転当たりにおける移動量に基づいて演算することができる。
【００２９】
一方、記録再生装置１は、図１に示すように、回転機構２、サーボ機構３、ピックアップ４およびコントローラ５を備えて構成されている。回転機構２は、光ディスク１０における装着用中心孔１０ａの口縁部を保持すると共に、コントローラ５の制御下で光ディスク１０を回転させる。サーボ機構３は、コントローラ５の制御下でピックアップ４を光ディスク１０の半径方向に沿って移動させる。ピックアップ４は、コントローラ５から出力される制御信号に従って光ディスク１０にレーザービームＬａを照射すると共に、光ディスク１０のＬ１情報層１２またはＬ２情報層１４などによって反射された反射光Ｌｂを受光して受光レベルに応じた電気的信号をコントローラ５に出力する。この場合、ピックアップ４は、一例として、開口数（ＮＡ）が０．８５の対物レンズを備え、その波長が４０５ｎｍのレーザービームＬａを射出する。コントローラ５は、本発明における制御部に相当し、回転機構２およびサーボ機構３を制御すると共に、ピックアップ４を制御して光ディスク１０に対する記録データの記録や光ディスク１０からの記録データの読み取り（再生）を制御する。
【００３０】
次に、記録再生装置１によって光ディスク１０に記録データを記録するデータ記録方法について、図面を参照して説明する。
【００３１】
この記録再生装置１によって光ディスク１０（一例として、ブランクディスク）に記録データを記録する際には、一例として、Ｌ１情報層１２の内周側から記録データの記録を開始して、Ｌ１情報層１２の全域に対する記録データの記録が完了した際に、Ｌ２情報層１４の内周側から記録データを記録する。したがって、記録再生装置１は、パーソナルコンピュータ等から光ディスク１０に記録すべき記録データが出力された際に、まず、回転機構２に対して光ディスク１０を回転させると共に、サーボ機構３を制御してピックアップ４を光ディスク１０の内周側に移動させる。次に、コントローラ５は、ピックアップ４を制御してＬ１情報層１２に焦点を合わせた状態でレーザービームＬａを照射させ、その反射光Ｌｂの受光状態に基づいてサーボ機構３を制御してピックアップ４をトラッキングサーボ制御する。
【００３２】
次に、コントローラ５は、パーソナルコンピュータ等から出力された記録データに基づいてピックアップ４を制御することにより、記録パワーに調整したレーザービームＬａを照射させる。これにより、Ｌ１情報層１２のレーザービームＬａが照射された部位に記録データに対応する記録マークが形成される。次いで、Ｌ１情報層１２の全域に対する記録データの記録が完了した際には、コントローラ５は、サーボ機構３を制御してピックアップ４を光ディスク１０の内周側に移動させる。続いて、コントローラ５は、ピックアップ４を制御してＬ２情報層１４に焦点を合わせた状態でレーザービームＬａを照射させ、その反射光Ｌｂの受光状態に基づいてサーボ機構３を制御してピックアップ４をトラッキングサーボ制御する。次に、コントローラ５は、パーソナルコンピュータ等から出力された記録データに基づいてピックアップ４を制御することにより、記録パワーに調整したレーザービームＬａを照射させる。これにより、Ｌ２情報層１４のレーザービームＬａが照射された部位に記録データに対応する記録マークが形成される。
【００３３】
次いで、パーソナルコンピュータ等から出力されたすべての記録データの記録が完了した際に、コントローラ５は、Ｌ２情報層１４における記録データの記録が完了したデータ記録用トラックの周囲（記録が完了したデータ記録用トラックに隣接しているデータ記録用トラック、および記録が完了したデータ記録用トラックの近傍に位置しているデータ記録用トラックのいずれか）に、その平均的な光透過率が約５７％となる透過率調整領域Ａ２（図４参照）を形成する。この際に、図４に示すように、例えば、Ｌ２情報層１４の最内周のデータ記録用トラックからデータ記録用トラックＴ１４まで記録データを記録した場合、データ記録用トラックＴ１４（記録済み領域Ａ１）の外周に幅Ｗ（一例として、１００μｍ程度）の透過率調整領域Ａ２を形成する。
【００３４】
具体的には、コントローラ５は、回転機構２に対して光ディスク１０を回転させつつ、サーボ機構３を制御してピックアップ４をデータ記録用トラックＴ１４から外周側のデータ記録用トラックＴ１４ａに向けて順次移動（トラッキング）させると共に、ピックアップ４を制御して、記録データの記録時に照射したレーザービームＬａよりも小さいパワーであってトラッキング時に照射するレーザービームＬａよりも十分に大きく照射部位の光透過率を変化させ得るパワーのレーザービームＬａをＬ２情報層１４に連続的に照射する。この際に、コントローラ５は、ピックアップ４がデータ記録用トラックＴ１４の隣のデータ記録用トラックにトラッキングしているときには、レーザービームＬａのパワーを記録時のパワーよりも僅かに小さいパワーに調整させて照射させ、ピックアップ４がデータ記録用トラックＴ１４から離間するにつれて、レーザービームＬａのパワーを無段階で徐々に小さくなるように調整させて照射させる。これにより、レーザービームＬａが照射された部位のＬ２情報層１４の光透過率が無段階で徐々に変化させられて、記録済み領域Ａ１の周囲に幅Ｗの透過率調整領域Ａ２が形成される。これにより、光ディスク１０に対する記録データの記録が完了する。
【００３５】
一方、上記のデータ記録方法に従って記録データが記録された光ディスク１０を再生する際には、コントローラ５は、ピックアップ４を制御して再生パワーに調整したレーザービームＬａを光ディスク１０に照射させる。この際に、例えば、Ｌ１情報層１２に記録されている記録データを再生するときには、コントローラ５は、ピックアップ４を制御してＬ１情報層１２に焦点を合わせた状態でレーザービームＬａを照射させ、その反射光Ｌｂの受光状態に基づいてサーボ機構３を制御してピックアップ４をトラッキングサーボ制御する。また、コントローラ５は、ピックアップ４から射出されてＬ１情報層１２によって反射された反射光Ｌｂのピックアップ４による受光状態に基づいて、Ｌ１情報層１２に記録されている記録マークを読み取ることにより、記録データを再生する。この場合、この光ディスク１０には、Ｌ２情報層１４に対する記録データの記録時に、平均的な光透過率が約５７％の透過率調整領域Ａ２が記録済み領域Ａ１と未記録領域Ａ０との間に形成されている。したがって、Ｌ１情報層１２の内周側から外周側に向けてデータ記録用トラックをトラッキングする際に、Ｌ２情報層１４の記録済み領域Ａ１と未記録領域Ａ０との間でレーザービームＬａに対する光透過率が急激に変化する事態が回避されている。
【００３６】
この場合、この光ディスク１０では、硬化状態における屈折率（ｎ）が１．５５の樹脂材料を用いて、Ｌ１情報層１２およびＬ２情報層１４間の距離Ｌが２５μｍとなるようにスペーサ層１３が形成されている。また、この光ディスク１０に対する記録データの記録再生時には、その開口数（ＮＡ）が０．８５の対物レンズを有するピックアップ４によってレーザービームＬａが照射される。したがって、図３に示すように、ピックアップ４から照射されるレーザービームＬａの焦点をＬ１情報層１２に合わせた状態では、同図における角度θが約３３．３°（「ＮＡ＝ｎ×ｓｉｎθ」から）で、この状態のレーザービームＬａのＬ２情報層１４に対する照射領域の径である照射幅２ｄは、３２．８μｍ（「２×（Ｌ×ｔａｎθ）」）となる。また、図４に示すように、Ｌ１情報層１２に記録されている記録データの再生時（一例として、Ｌ１情報層１２のデータ記録用トラックＴ１２に対するトラッキング時）には、Ｌ１情報層１２に対するＬ２情報層１４の偏心に起因して、データ記録用トラックＴ１２を照射しているレーザービームＬａが、Ｌ２情報層１４の記録済み領域Ａ１と、その外周部分とを交互に透過する。したがって、図５の下図に一点鎖線で示すように、記録済み領域Ａ１の周囲に透過率調整領域Ａ２が存在しない状態では、データ記録用トラックＴ１２，Ｔ１４が光ディスク１０の厚み方向において交差する位置Ｐ２３，Ｐ２４（図４および図５の上図参照）の近傍において、Ｌ２情報層１４の光透過率が急激に変化する。このため、Ｌ１情報層１２に対するトラッキングエラーが生じるおそれがある。
【００３７】
一方、この記録再生装置１では、図４および図５の上図に示すように、光ディスク１０の中心Ｏに対するＬ１情報層１２の偏心量の向きを問わない絶対値およびＬ２情報層１４の偏心量の向きを問わない絶対値の合計量Ｅ（１２５μｍ）から、Ｌ１情報層１２を照射しているレーザービームＬａのＬ２情報層１４に対する照射幅２ｄ（３２．８μｍ）を減じた長さ（９２．２μｍ）よりも広い幅Ｗ（この例では、１００μｍ）の透過率調整領域Ａ２が形成されている。このため、レーザービームＬａの照射範囲（照射幅）内に記録済み領域Ａ１が存在しなくなった状態（例えば、図４，５における位置Ｐ２２にレーザービームＬａを照射している状態）においても、その照射範囲内のうちの１／２程度の範囲に透過率調整領域Ａ２が存在する状態となる。なお、同図では、Ｌ１情報層１２に照射しているレーザービームＬａのＬ２情報層１４に対する照射範囲を破線で図示している。したがって、レーザービームＬａがＬ２情報層１４の記録済み領域Ａ１を透過する状態（例えば、同図における位置Ｐ２１にレーザービームＬａを照射する状態）から、記録済み領域Ａ１の外周部分を透過する状態（両図における位置Ｐ２２にレーザービームＬａを照射する状態）に移行する際の光透過率の急激な変化が回避されている。この結果、トラッキングエラーの発生が回避される。
【００３８】
また、Ｌ１情報層１２に対してＬ２情報層１４が偏心している状態では、光ディスク１０を回転させつつ例えばデータ記録用トラックＴ１２に対してトラッキングさせた際のＬ２情報層１４についての光透過率の変化量が透過率調整領域Ａ２の有無によって相違する。具体的には、透過率調整領域Ａ２が形成されていない状態では、データ記録用トラックＴ１２に向けて照射したレーザービームＬａが記録済み領域Ａ１および未記録領域Ａ０を交互に透過させられる。したがって、図５の下図に一点鎖線で示すように、光ディスク１０の一回転当りにおけるＬ２情報層１４についての光透過率の変化量が大きくなる。一方、幅Ｗの透過率調整領域Ａ２が形成されている状態では、データ記録用トラックＴ１２に向けて照射したレーザービームＬａが記録済み領域Ａ１および透過率調整領域Ａ２を交互に透過させられる。この場合、前述したように、記録済み領域Ａ１から最も離れた位置Ｐ２２を透過させられる際にも、照射範囲内のうちの１／２程度の範囲に透過率調整領域Ａ２が存在する状態となる。したがって、図５の下図に二点鎖線で示すように、光ディスク１０の一回転当りにおける光透過率の変化量が比較的小さくなる。
【００３９】
このように、この記録再生装置１によるデータ記録方法によれば、Ｌ２情報層１４におけるデータ記録用トラックに記録データを記録した後に、記録済み領域Ａ１の光透過率と未記録領域Ａ０の光透過率との中間の光透過率を有する透過率調整領域Ａ２を形成することにより、Ｌ１情報層１２を照射するレーザービームＬａが記録済み領域Ａ１内を透過する状態と、記録済み領域Ａ１の外周を透過する状態との間を移行する際における光透過率の急激な変化を回避することができる。したがって、Ｌ１情報層１２に対するトラッキングエラーの発生を回避することができる。この結果、レーザービームＬａの照射方向手前側の情報層（光ディスク１０におけるＬ２情報層１４）の全域に亘って記録データが記録されていない状態であったとしても照射方向奥側の情報層（光ディスク１０におけるＬ１情報層１２）に対して正確にアクセスすることができるため、例えば照射方向奥側の情報層が再生専用タイプの（照射方向奥側の情報層に記録データが予め記録されているタイプの）２層型光記録媒体に対しても、照射方向奥側の情報層に対するトラッキングを妨げることなく照射方向手前側の情報層に記録データを確実に記録することができる。
【００４０】
さらに、この記録再生装置１によるデータ記録方法によれば、透過率調整領域Ａ２における光ディスク１０の半径方向に沿った幅がＬ１情報層１２の偏心量の絶対値とＬ２情報層１４の偏心量の絶対値との合計量ＥからＬ２情報層１４に対するレーザービームによる照射の幅（照射幅２ｄ）を減じた長さよりも広くなるように透過率調整領域Ａ２を形成することにより、Ｌ１情報層１２に対するトラッキングエラーの発生を十分に回避することができる。また、光ディスク１０の一回転当たりにおける光透過率の最大値と最小値との差を小さくすることができるため、Ｌ１情報層１２に記録されている記録データの再生時における再生信号のばらつきを小さくすることができる結果、再生エラーの発生を十分に回避することができる。
【００４１】
また、この記録再生装置１によるデータ記録方法によれば、記録済み領域Ａ１の側から未記録領域Ａ０の側に向けて無段階で光透過率が徐々に変化するように透過率調整領域Ａ２を形成することにより、記録済み領域Ａ１と透過率調整領域Ａ２との境目、および透過率調整領域Ａ２と未記録領域Ａ０との境目における光透過率を緩やかに変化させることができるため、Ｌ１情報層１２に対するトラッキングエラーの発生を一層確実に回避することができる。
【００４２】
さらに、この記録再生装置１によるデータ記録方法によれば、記録データの記録時に照射するレーザービームＬａよりも小さいパワーであって照射部位の光透過率を変化させるパワーのレーザービームＬａを未記録のデータ記録用トラックに連続的に照射して透過率調整領域Ａ２を形成することにより、サーボ機構３に対する煩雑な制御を不要としつつ、Ｌ１情報層１２に対するトラッキングエラーの発生を回避することができる。
【００４３】
なお、本発明は、上記の方法および構成に限定されない。例えば、記録済み領域Ａ１の周囲に幅Ｗに亘って透過率調整領域Ａ２を形成した例について説明したが、本発明におけるデータ記録方法はこれに限定されず、Ｌ２情報層１４に対する記録データの記録時に、記録済みのデータ記録用トラック（記録済み領域Ａ１）に隣接している未記録のデータ記録用トラックに対して、例えば一周程度に亘ってレーザービームＬａを照射して透過率調整領域Ａ２を形成することもできる。このデータ記録方法に従って記録データを記録することにより、記録済み領域Ａ１の周囲に形成したデータ記録用トラック一周分の透過率調整領域Ａ２によって、レーザービームＬａが記録済み領域Ａ１および未記録領域Ａ０を跨ぐようにして透過する際の透過率の急激な変化を緩和できるため、透過率調整領域Ａ２が存在しない光ディスクと比較して、トラッキングエラーの発生を十分に回避することができる。
【００４４】
また、記録済み領域Ａ１の外周に透過率調整領域Ａ２を形成した例について説明したが、Ｌ２情報層１４に対してその外周側から記録データを記録する場合、記録済み領域Ａ１の内周側に透過率調整領域Ａ２を形成することにより、上記の例と同様の効果を得ることができる。さらに、Ｌ２情報層１４に対する記録データの記録が完了した後に記録済み領域Ａ１の周囲に透過率調整領域Ａ２を形成する例について説明したが、本発明に係るデータ記録方法はこれに限定されない。例えば、Ｌ２情報層１４に対する記録データの記録開始に先立ち、未記録のデータ記録用トラックにレーザービームＬａを照射して透過率調整領域Ａ２を形成し、形成した透過率調整領域Ａ２に隣接しているデータ記録用トラック、および透過率調整領域Ａ２の近傍に位置しているデータ記録用トラックのいずれかから記録データの記録を開始することもできる。この記録方法によれば、Ｌ２情報層１４に対する記録データの記録開始部分の近傍においても、Ｌ１情報層１２を照射するレーザービームＬａが記録済み領域Ａ１の内部を透過する状態と、記録済み領域Ａ１の外部を透過する状態との間を移行する際における光透過率の急激な変化を回避することができる。この結果、Ｌ１情報層１２に対するトラッキングエラーの発生を回避することができる。
【００４５】
さらに、Ｌ２情報層１４の未記録のデータ記録用トラックに対して記録データの記録時よりも小さいパワーのレーザービームＬａを連続的に照射して透過率調整領域Ａ２を形成する例について説明したが、照射部位の光透過率を変化させ得るパワーのレーザービーム（例えば、記録データの記録時に照射するレーザービームＬａ）を照射して透過率調整用の記録マーク（記録データに対応する記録マークとほぼ同等の記録マーク）を未記録のデータ記録用トラックに記録して透過率調整領域Ａ２を形成することもできる。この記録方法によれば、データ記録用トラックに記録された記録マークの存在によって、その光透過率が記録済み領域Ａ１の光透過率と未記録領域Ａ０の光透過率との中間となる透過率調整領域Ａ２が形成されるため、レーザービームＬａを連続的に照射して透過率調整領域Ａ２を形成する構成と同様にして、トラッキングエラーの発生を十分に回避することができる。なお、透過率調整用の記録マークについては、記録マークの形成間隔を調整することで、記録データの記録時に照射するレーザービームＬａよりも僅かに小さいパワー、または、僅かに大きいパワーのレーザービームを照射して形成することもできる。
【００４６】
また、透過率調整用の記録マークによって透過率調整領域Ａ２を形成するデータ記録方法において、透過率調整領域Ａ２内の光透過率を徐々に変化させるには、以下の記録方法が挙げられる。例えば、図６に示すように、透過率調整用の記録マーク（同図において黒色で図示する）と記録マークとの間隔を徐々に大きくすることによって光透過率を徐々に変化させることができる。また、図７に示すように、透過率調整用の記録マークを形成しないデータ記録用トラックを挟んで透過率調整用の記録マークを形成したデータ記録用トラックを設け、その記録マークを形成しないデータ記録用トラックの数を徐々に増やすことで光透過率を徐々に変化させることができる。この場合、透過率調整用の記録マークを形成しないデータ記録用トラックを挟んで透過率調整用の記録マークを形成することで透過率調整領域Ａ２を形成したときには、最初に透過率調整用の記録マークを形成したデータ記録用トラックから、最後に透過率調整用の記録マークを形成したデータ記録用トラックまでの距離が透過率調整領域Ａ２の幅に相当する。
【００４７】
また、レーザービームＬａのパワーを無段階で徐々に小さくして透過率調整領域Ａ２を形成する例について説明したが、本発明はこれに限定されず、レーザービームＬａのパワーを段階的に（多段階で）徐々に小さくして（記録データの記録開始に先立って未記録のデータ記録用トラックに透過率調整領域Ａ２を形成するときには、「徐々に大きくして」）照射することにより、その光透過率が互いに相違する複数の透過率調整領域Ａ２，Ａ２・・を形成して本発明における透過率調整領域とすることができる。また、渦巻き状のデータ記録用トラックを有するＬ１情報層１２およびＬ２情報層１４に記録データを記録する例について説明したが、同心円状の複数のデータ記録用トラックを有する光記録媒体に対しても、本発明に係るデータ記録方法に従って記録データを記録することができる。さらに、Ｌ１情報層１２およびＬ２情報層１４の２層の情報層を有する光ディスク１０に記録データを記録する例について説明したが、記録データを記録する対象の光記録媒体はこれに限定されず、３層以上の情報層を有する光記録媒体も含まれる。また、両情報層１２，１４の一方または双方を書き換え可能型の情報層で構成した光記録媒体や、Ｌ１情報層１２を読み出し専用型とする光情報記録媒体など、各種の光記録媒体も含まれる。
【図面の簡単な説明】
【００４８】
【図１】記録再生装置１の構成を示すブロック図である。
【図２】光ディスク１０の断面図である。
【図３】光ディスク１０のＬ１情報層１２およびＬ２情報層１４と、レーザービームＬａおよび反射光Ｌｂとの関係を示す概念図である。
【図４】光ディスク１０の中心Ｏに対するＬ１情報層１２およびＬ２情報層１４の偏心状態と、記録状態との一例を示す概念図である。
【図５】Ｌ１情報層１２のデータ記録用トラックＴ１２と、Ｌ２情報層１４のデータ記録用トラックＴ１４と、透過率調整領域Ａ２との関係を説明する説明図である。
【図６】透過率調整用の記録マークによって透過率調整領域Ａ２を形成した光ディスク１０の一例を示す平面図である。
【図７】透過率調整用の記録マークによって透過率調整領域Ａ２を形成した光ディスク１０の他の一例を示す平面図である。
【符号の説明】
【００４９】
１  記録再生装置
４  ピックアップ
５  コントローラ
１０  光ディスク
１２  Ｌ１情報層
１４  Ｌ２情報層
Ａ０  未記録領域
Ａ１  記録済み領域
Ａ２  透過率調整領域
２ｄ  照射幅
Ｅ  合計量
Ｅ２，Ｅ４  偏心量
Ｌ  距離
Ｌａ  レーザービーム
Ｌｂ  反射光
Ｗ  幅
【図１】
2005158174.tif 000003
【図２】
2005158174.tif 000004
【図３】
2005158174.tif 000005
【図４】
2005158174.tif 000006
【図５】
2005158174.tif 000007
【図６】
2005158174.tif 000008
【図７】
2005158174.tif 000009